(57)【要約】【課題】給水経路の施工性に優れ、且つ極めて少ない労力で各植栽コンテナに確実に水分を供給することができる。【解決手段】育成材１４を充填して植物１５を栽培する植栽コンテナ２０と、植栽コンテナ２０の下方に着脱自在に係合される貯水槽３０と、貯水槽３０内の水分を植栽コンテナ２０へ導水する導水部材１２とを有する緑化ユニット１０を、支持器具４０に高さ方向へ間隔を開けて設けられる支持部４５にそれぞれ取り付け、複数の緑化ユニット１０を垂直方向へ設置する緑化構造であって、植栽コンテナ２０で植栽が行われる植栽部と貯水槽３０との間に給水管６０を配設する。【選択図】図１６
2006191805.tif 000002
【特許請求の範囲】
【請求項１】
少なくとも植物を栽培可能な植栽部と、該植栽部に対して着脱自在で水分を貯水可能な貯水部と、該貯水部内の水分を該植栽部へ導水する導水部材とを有する緑化ユニットを、高さ方向へ間隔を開けて設けられる支持部にそれぞれ設置して、複数の緑化ユニットを高さ方向へ設置する緑化構造であって、該植栽部と該貯水部との間に給水管を配設することを特徴とする緑化構造。
【請求項２】
前記緑化ユニットを前方に傾斜させて設置し、該緑化ユニットの導水部材を該傾斜の低い位置に配置することを特徴とする請求項１記載の緑化構造。
【請求項３】
前記貯水部を係止部で係止して設置し、該係止部を中心に回動自在とすることを特徴とする請求項１又は２記載の緑化構造。
【請求項４】
前記貯水部を側壁と底面を有する略箱形とし、両側の該側壁に凹部を形成し、該凹部に給水管を配設することを特徴とする請求項１乃至３の何れかに記載の緑化構造。
【請求項５】
前記植栽部の両側に底部より下方へ延びる脚壁を形成し、該脚壁の下方に凹部を形成し、該凹部に給水管を配設することを特徴とする請求項１乃至４の何れかに記載の緑化構造。
【請求項６】
前記貯水部を側壁と底面を有する略箱形とし、両側の該側壁に凹部を形成すると共に、前記植栽部の両側に底部より下方へ延びる脚壁を形成し、該脚壁の下方に凹部を形成して、該貯水部側壁の凹部と該植栽部脚壁の凹部とで略円形の給水管配設穴を形成し、該給水管配設穴に給水管を配設することを特徴とする請求項１乃至３の何れかに記載の緑化構造。
【請求項７】
前記貯水部側壁の凹部と前記植栽部脚壁の凹部との何れか一方が、他方の凹部よりも幅広であることを特徴とする請求項６記載の緑化構造。
【請求項８】
請求項１乃至７の何れかに記載の緑化構造を横方向に複数設け、横に並ぶ緑化ユニットに一連で給水管を連通しながら、上端且つ横端に位置する緑化ユニットから下端且つ横端に位置する緑化ユニットへ蛇行して給水管を配設することを特徴とする緑化設備。
【請求項９】
請求項１乃至７の何れかに記載の緑化構造を横方向に複数設ける緑化設備、又は請求項８記載の緑化設備において、上下に位置する緑化ユニットを正面視横方向にずらして配置することを特徴とする緑化設備。
【請求項１０】
請求項１乃至７の何れかに記載の緑化構造の施工方法、又は請求項８若しくは９記載の緑化設備の施工方法において、前記緑化ユニットに予め植栽を施す第一工程と、該緑化ユニットのそれぞれを前記支持部に設置する第二工程と、前記給水管を配設する第三工程とを有することを特徴とする緑化構造の施工方法、又は緑化設備の施工方法。
【請求項１１】
少なくとも植物を栽培可能な植栽部と、該植栽部に対して着脱自在で水分を貯水可能な貯水部と、該貯水部内の水分を該植栽部へ導水する導水部材とを有し、該貯水部を回動自在に係止部で係止して設置すると共に、該貯水部の側壁に給水管を配設可能な凹部を形成することを特徴とする緑化ユニット。
【発明の詳細な説明】
【技術分野】
【０００１】
本発明は、複数の緑化ユニットを高さ方向へ設置する緑化構造及びその施工方法、この緑化構造を複数並べて設置する緑化設備及びその施工方法、並びに緑化ユニットに関する。
【背景技術】
【０００２】
複数の緑化ユニットを高さ方向へ設置する緑化設備等として、特許文献１に、金属線状の支持部材の複数がほぼ垂直のパネル状に組み立てられ、その支持部材で緑化ユニットの一側面と底面を支えて斜めに支持するラックが記載されている。
【０００３】
また、特許文献２には、建物の壁面から突出する支持体を所定間隔で形成し、底部に形成された貯水槽から細径の潅水パイプで土壌に潅水する緑化ユニットを前記支持体に載置して重層的に設け、更に、上下の緑化ユニットの潅水供給を連通する潅水パイプを各緑化ユニットの底面から下向きに形成し、最上段の緑化ユニットの水タンクに接続された潅水パイプで給水して、前記連通する潅水パイプで順次上から下へ重層する各緑化ユニットへ給水する壁面緑化設備が記載されている。
【０００４】
また、特許文献３には、緑化ユニットを仕切板で区画して前面側を植栽部、後面側を貯水部とし、仕切板の小孔を介して植栽部へ水を供給するものとし、更に、前記緑化ユニットを壁面に左右及び上下方向へ連設配置し、ねじ込み式パイプとコンテナ底面から所定高さ延伸する縦パイプとで横水路と縦水路を形成する壁面緑化設備が記載されている。
【０００５】
【特許文献１】特開平１１−２４３７８３号公報
【特許文献２】特開平６−２５３６８４号公報
【特許文献３】特開２００３−３２５０５２号公報
【発明の開示】
【発明が解決しようとする課題】
【０００６】
ところで、特許文献１のラックは、複数の緑化ユニットを金属線状の支持部材に配置するだけで高さ方向へ設置することが可能であり、緑化ユニットの設置や高さ方向等の緑化を容易にするものであるが、各緑化ユニットへの潅水を人手で行う必要があり、潅水作業に多大な労力を要する。特に、上方の緑化ユニットの設置位置が高い場合や、或いは設置される緑化ユニットの数が多い場合には、潅水作業に要する労力は非常に多大なものとなる。また、緑化ユニットを支持部材に置くだけであるため、屋外に設置した場合に、風雨で緑化ユニットが飛ぶなど設置の安定性や安全性に劣っている。
【０００７】
他方で、特許文献２、３の壁面緑化設備は、潅水経路の形成で潅水作業の労力を低減し、また、壁面や支持体に固定することで設置の安定性や安全性を高めることが可能であるものの、例えば緑化ユニットが傾いた場合に順次の潅水が行われない可能性等がある。即ち、水分の落下や勾配に強く依存して潅水が行われる構造であるため、水分が行き渡らない箇所が発生し、植物が枯れる虞がある。更に、縦方向に潅水パイプを配設する作業や、植栽部の後方に位置する貯水部へのねじ込み式パイプを取り付ける作業等による給水経路を形成する作業は容易でなく、施工コストも高くなる。
【０００８】
本発明は上記不具合を解消するために提案するものであって、給水経路の施工性に優れ、且つ極めて少ない労力で各緑化ユニットに確実に水分を供給することができる、緑化構造、緑化設備及びこれらの施工方法、並びに緑化ユニットを提供することを目的とする。
【課題を解決するための手段】
【０００９】
本発明の緑化構造は、少なくとも植物を栽培可能な植栽部と、該植栽部に対して着脱自在で水分を貯水可能な貯水部と、該貯水部内の水分を該植栽部へ導水する導水部材とを有する緑化ユニットを、高さ方向へ間隔を開けて設けられる支持部にそれぞれ設置して、複数の緑化ユニットを高さ方向へ設置する緑化構造であって、該植栽部と該貯水部との間に給水管を配設することを特徴とする。
【００１０】
例えば支持器具の支持柱に高さ方向へ所定間隔を開けて各支持部を設け、或いは建物の壁面に高さ方向へ所定間隔を開けて各支持部を設け、各支持部に緑化ユニットを設置する構成等とすることが可能である。また、各支持部を設ける支持柱や壁面は、垂直方向に延びるものや垂直面に限定されず、例えば斜め直線状や斜め曲線状に延びるもの、或いは前方へ斜め上方に延びるものや後方へ斜め上方へ延びるものなど、傾斜方向に延びるものや傾斜面等としてもよい。また、高さ方向の間隔を開けて配設される緑化ユニットに給水管を配設する構成は、上端の緑化ユニットから下端の緑化ユニットへ蛇行しながら一連の給水管を配設すると好適であるが、例えば給水管の本管から分岐する各分岐管を各緑化ユニットに導入して給水する構成等、他の構成としてもよい。また、植栽部や貯水部は、例えば周壁と底面で囲まれた空間を有する容器や、半球状の容器等、植栽部は植物を栽培可能なもの、貯水部は水分を貯留可能なものであれば適宜である。
【００１１】
更に、本発明の緑化構造は、前記緑化ユニットを前方に傾斜させて設置し、該緑化ユニットの導水部材を該傾斜の低い位置に配置することを特徴とし、例えば導水部材を給水管よりも勾配の低い位置に設ける。好適には、緑化ユニットを略水平にした状態と前記傾斜して設置した状態の両状態で、導水部材の下端が貯水部底面の最下端近傍に位置するように構成するとよい。また、給水管は前記傾斜の高い位置に設ける構成とすると、常時給水管が水分に浸かって給水管が腐食すること等を防止し、給水管からの良好な給水を維持することができて好適である。
【００１２】
更に、本発明の緑化構造は、前記貯水部を係止部で係止して設置し、該係止部を中心に回動自在とすることを特徴とする。例えば貯水部の前面或いは後面の側壁上端に内方へ向かって鉤状の係止片を形成し、植栽部の前面或いは後面又は植栽部の底部より下側の前面或いは後面の係止穴に係止片を挿入して係止し、前記係止穴或いは係止穴と係止片で構成される係止部を中心に、貯水部を回動自在にする。好適には、貯水部を後面側の係止部で係止し、前記係止部を中心に貯水部を回動自在として、貯水部が前面側で開閉する構成とすると、給水管の配設等の作業が行いやすくなって良好である。
【００１３】
更に、本発明の緑化構造は、前記貯水部を側壁と底面を有する略箱形とし、両側の該側壁に凹部を形成し、該凹部に給水管を配設することを特徴とする。      
更に、本発明の緑化構造は、前記植栽部の両側に底部より下方へ延びる脚壁を形成し、該脚壁の下方に凹部を形成し、該凹部に給水管を配設することを特徴とする。好適には、植栽部を、底面より下方に貯水部を収納可能であり且つ底面より下方に延びて貯水部の前面と両側面を覆う脚壁を有するものとすると好適である。
【００１４】
更に、本発明の緑化構造は、前記貯水部を側壁と底面を有する略箱形とし、両側の該側壁に凹部を形成すると共に、前記植栽部の両側に底部より下方へ延びる脚壁を形成し、該脚壁の下方に凹部を形成して、該貯水部側壁の凹部と該植栽部脚壁の凹部とで略円形の給水管配設穴を形成し、該給水管配設穴に給水管を配設することを特徴とする。
【００１５】
更に、本発明の緑化構造は、前記貯水部側壁の凹部と前記植栽部脚壁の凹部との何れか一方が、他方の凹部よりも幅広であることを特徴とする。好適には、例えば下方に位置する貯水部側壁の凹部を側壁横方向へ長い略半楕円形や略蒲鉾形等の幅広とし、植栽部脚壁の凹部を上端箇所が略半円形で脚壁縦方向へ長く略Ｕ字形に切り込まれた形状等の幅狭とし、上方へ向かってへこむ凹部を幅広とするとよい。
【００１６】
また、本発明の緑化設備は、本発明の緑化構造を横方向に複数設け、横に並ぶ緑化ユニットに一連で給水管を連通しながら、上端且つ横端に位置する緑化ユニットから下端且つ横端に位置する緑化ユニットへ蛇行して給水管を配設することを特徴とし、横の緑化ユニットを優先して給水管を配設していき、蛇行しながら全ての緑化ユニットに給水管を一連で配設する。尚、例えば給水管の本管から分岐する分岐管を横方向に並ぶ緑化ユニットに連通し、各高さの緑化ユニット毎に一連の分岐管を挿通する構成等としてもよい。また、緑化設備は、例えば支持器具に緑化ユニットを配設する緑化構造物を左右に複数並設するものや、壁面の高さ方向に間隔を開けて設けられた支持部に緑化ユニットを設置する緑化構造を左右に並べて設けるもの等とする。
【００１７】
また、本発明の緑化設備は、本発明の緑化構造を横方向に複数設ける緑化設備において、上下に位置する緑化ユニットを正面視横方向にずらして配置することを特徴とする。更に、緑化ユニットを三段以上で高さ方向に配設する場合には、例えば三段以上の緑化ユニットを正面視で千鳥配置とする、又は、三段以上の緑化ユニットを右方向或いは左方向へ順次ずらして配置する構成等とする。
【００１８】
また、本発明の緑化構造の施工方法、又は緑化設備の施工方法は、本発明の緑化構造又は緑化設備を施工する方法であり、前記緑化ユニットに予め植栽を施す第一工程と、該緑化ユニットのそれぞれを前記支持部に設置する第二工程と、前記給水管を配設する第三工程とを有することを特徴とする。
【００１９】
また、本発明の緑化ユニットは、少なくとも植物を栽培可能な植栽部と、該植栽部に対して着脱自在で水分を貯水可能な貯水部と、該貯水部内の水分を該植栽部へ導水する導水部材とを有し、該貯水部を回動自在に係止部で係止して設置すると共に、該貯水部の側壁に給水管を配設可能な凹部を形成することを特徴とする。
【００２０】
尚、本発明には、各発明に他の発明や実施形態等の構成を追加したもの、或いは各発明の部分的な構成を他の発明や実施形態等の構成に変更したもの、或いは部分的な効果を奏する限度で各発明の構成を一部削除したものが含まれる。
【発明の効果】
【００２１】
本発明の緑化構造、緑化設備或いはこれらの施工方法、又は緑化ユニットを用いることにより、極めて少ない労力で、緑化構造や緑化設備の全ての緑化ユニットに確実に水分を行き渡らせることが可能になる。従って、植物が枯れることがなく、高さ方向等に亘る緑化を良好な状態で長期間維持することができる。更に、給水経路の施工性に非常に優れており、施工コストを大幅に低減することができる。
【００２２】
また、導水部材の下端を貯水部底面の最下端近傍に位置させる等、導水部材を緑化ユニットの傾斜の低い位置に配置することにより、貯水部の水分を確実に導水部材で導き、植栽部への吸水に利用できない貯水を極力減らし、効率的に且つ長期間に亘って植物へ水を供給することが可能となり、一層長期に亘って植物の生育状態を良好に維持することができる。
【００２３】
また、貯水部を回動自在に係止部で係止して設置することにより、貯水部を必要に応じて回動して開放し、給水管を配設することが可能となり、植栽部と貯水部との間に簡単に給水管を配設することができる。更に、前記係止部を緑化ユニットの後側に設け、貯水部が緑化ユニットの前側で開放するようにすると、一層給水管の配設等の作業性を向上することができる。
【００２４】
また、略箱形の貯水部の側壁に凹部を形成して前記凹部に給水管を配設する構成、或いは植栽部の両側の脚壁に凹部を形成して前記凹部に給水管を配設する構成とすることにより、植栽部と貯水部の間で給水管を所定位置若しくは所定範囲内に簡単に定置して設置することができる。更に、前記貯水部側壁の凹部と植栽部脚壁の凹部で給水管配設用穴を形成し、前記給水管配設用穴に給水管を配設することにより、給水管の設置状態の安定性を高めることができる。
【００２５】
また、前記貯水部側壁の凹部と前記植栽部脚壁の凹部の何れか一方を他方の凹部より幅広とすることにより、幅広の凹部に給水管を配置しつつ幅狭の凹部と合わせて形成される給水管配設用穴に給水管を配設することが可能となり、給水管の配設作業等を容易にすることができる。更に、貯水部側壁の上向きにへこむ凹部を植栽部脚壁の下方へへこむ凹部より幅広とすると、必要に応じて幅広の凹部に給水管を載置しながら作業を進めることが可能となり、より一層給水管の配設作業等を容易にすることができる。
【００２６】
また、上下に位置する緑化ユニットをずらして配置することにより、上段の緑化ユニットの隣接箇所など露出に適さない部分を隠すことが可能となり、緑化構造や緑化設備の美観を向上することができる。
【発明を実施するための最良の形態】
【００２７】
以下、本発明に関し、図に示す実施形態の緑化ユニット、緑化構造体、緑化設備について説明する。
【００２８】
先ず、本実施形態に於ける緑化ユニット１０は、図１〜図６に示すように、育成材１４が充填されて植物１５が栽培される植栽部（後述の前面壁２１、後面壁２２、側壁２３、底面２４で囲まれた空間）を有する植栽コンテナ２０と、貯水部に対応する貯水槽３０とで構成される。
【００２９】
植栽コンテナ２０は、図１及び図２に示すように、前面壁２１と後面壁２２と両側の側壁２３・２３と底面２４とを有する上面開放の略箱形である。前面壁２１と後面壁２２と両側の側壁２３・２３の底面より下方に突出する部分は脚部２１ａ、２２ａ、２３ａになっており、四方の脚部２１ａ、２２ａ、２３ａと底面２４で囲まれる空間には後述する貯水槽３０が配設される。各壁２１、２２、２３の上端は内方へ屈曲延設されて補強片２５になっており、植栽コンテナ２０の強度を向上している。底面２４には、余剰水の排水機能及び通気機能を有する通水兼通気孔２４ａが穿設されていると共に、その前面壁２１の近傍には後述する貯水槽３０内の水を導水するための導水部材１２を挿通可能な挿通孔２４ｂが穿設されている。挿通孔２４ｂは、略円形ではあるが、対向する位置に外方への突出箇所を有する形状である。
【００３０】
脚部２１ａ、２２ａ、２３ａの内、後面壁２２から連なって下方へ突出する脚部２２ａは、前面壁２１と側壁２３に各々連なって下方へ突出する脚部２１ａ、２３ａよりも突出割合が小さくなっている。脚部２１ａと脚部２３ａは互いに連なっているが、脚部２３ａと後面壁２２の脚部２２ａとの間には後述する貯水槽３０の側壁の板厚よりも広い切欠２６が形成され、脚部２３ａと脚部２２ａは切欠２６を介して互いに独立している。側壁２３の脚部２３ａの略中央には、後述する給水管２６を配設するために、脚部２３ａの下端から底面２４近傍まで上方に向かって給水管配設用の凹部２３ｂが切り欠かれて形成されており、また、後面壁２２の脚部２２ａの底面２４より僅かに下方位置には、後述する貯水槽３０の係止片３２ａを挿入可能な係止孔２２ｂが３箇所に穿設されている。
【００３１】
前記脚部２１ａ、２３ａの下端は、後述の取り付けられた状態の貯水槽３０の底面３４と同一平面内に位置するように突出させる、或いは前記位置より僅かに下方まで突出させることが望ましい。尚、後面壁２２から下方へ突出する脚部２２ａの下端は、後述の取り付けられた状態の貯水槽３０の底面３４と同一平面内にまで突出させる、又は前記底面３４より僅かに下方まで突出する構成とすると、脚部２１ａ、２３ａに加えて脚部２２ａでも植栽コンテナ２０の荷重を受けることができる。前記構成により、貯水槽３０が植栽コンテナ２０の荷重を受けることを無くし、貯水槽３０の変形や破損を防止することができる。
【００３２】
更に、後面壁２２には、図１、図２、図７に示すように、後述する支持部に取り付けるための取付部２７が設けられており、取付部２７は、支持部４５の支持片４５３に対して水平方向の３箇所の異なる位置で取付可能に設置されている。取付部２７は、左右に一対で設けられ、それぞれ１枚の略長方形の平板からなる基板２７ａと、基板２７ａ上に略逆Ｌ字形で互いに同じ方向へ向いた３枚の間隔板２７ｂと、間隔板２７ｂ上にそれぞれ載置される略長方形の平板からなる被覆板２７ｃとで構成されており、後述する支持片は、基板２７ａと被覆板２７ｃとの間に、略Ｌ字形の内方で形成される間隔板２７ｃの厚さ分の隙間内に配置される。
【００３３】
貯水槽３０は、図３及び図４に示すように、前面壁３１と後面壁３２と両側の側壁３３・３３と底面３４とを有する上面開放の略箱形である。前面壁３１は、後面壁３２よりも高く形成され、両側の側壁３３は後面壁３２から前面壁３１へ向かって高くなるように上端が傾斜して形成されている。後述する支持部に緑化ユニット１０を取り付けた際に、貯水槽３０も前面壁３１側が低くなるように斜めに傾斜した状態で取り付けられるが、前記構成で貯水槽３０の前面壁３１側を深くすることにより、貯水槽３０の貯水量を可能な限り多めにすることができる。
【００３４】
両側壁３３・３３には、略中央より前面壁３１寄りの位置に、略楕円状若しくは略コ字形である幅広の給水管配設用の凹部３３ａがそれぞれ切り欠かれて形成され、前記凹部３３ａと植栽コンテナ２０の給水管配設用の凹部２３ｂを対応する位置で合わせることにより、給水管配設用の穴部１１が形成される。給水管配設用の穴部１１、或いは給水管配設用の凹部３３ａと凹部２３ｂは、前面壁３１側が低くなるように傾斜して緑化ユニット１０や貯水槽３０が後述する支持部４５に設置されることから、貯水量を可能な限り多めにすべく、中央よりも後面壁３２寄りに設けると好適である。
【００３５】
貯水槽３０の両側の側壁３３に設けられた給水管配設用の凹部３３ａは、植栽コンテナ２０の両側の側壁２３に設けられた給水管配設用の凹部２３ｂよりも幅広に形成されている。前記構成により、係止片３２ａの上端部がある程度長さを有する場合に、回動時に給水管の側壁３３の上端による噛み込みを防止することができると共に、植栽コンテナ２０の下方に余り空間を有しない場合でも給水管６０を配設することが可能となる。尚、前記構成に代え、貯水槽３０側の凹部３３ａを幅狭に、植栽コンテナ２０側の凹部２３ｂを幅広にする構成とすることも可能であり、前記構成でも同様の効果を得ることができる。また、幅狭の凹部２３ｂ或いは３３ａの幅は、給水管６０の前後の大きな移動を規制できる或いは給水管６０を略定置できる程度とするとよい。
【００３６】
後面壁３２の上端には、内方へ屈曲延設され、更にその端部が下方へ屈曲延設された略鉤形の係止片３２ａが３箇所に形成されており、各係止片３２ａが植栽コンテナ２０の後面脚部２２ａに形成された係止孔２２ｂに挿入して係合され、貯水槽３０の後面壁３２が植栽コンテナ２０の後面壁２２に取り付けられる。
【００３７】
そして、貯水槽３０を前記係止片３２ａによる係止で植栽コンテナ２０に取り付けることにより、緑化ユニット１０が構成される。緑化ユニット１０は、図５及び図６に示すように、上方に植物を栽培可能な植栽コンテナ２０が設けられ、その下方に水分を貯留可能な貯水槽３０が設けられている。貯水槽３０の底面３４と植栽コンテナ２０の脚部２１ａ、２３ａの下端が略同一平面上に位置するように構成され、平面に設置した際に、貯水槽３０の変形を防止すると共に、脚部２１ａ、２３ａ及び貯水槽底面３４で緑化ユニット１０を確実に支持できるようになっている。
【００３８】
緑化ユニット１０には、図８及び図９に示すように、植栽コンテナ２０の底面２４に取り付けられて導水部材１２が設けられる。導水部材１２は、毛細管現象を生じて下部から上部へ導水可能な略棒状の導水部１２１が略筒形の支持部材１２２内に挿通し且つ上方へ突出して設けられている。支持部材１２２は上端に導水部を挿入可能な開口１２３が形成され、その下端は導水部１２１の挿入距離を規制するため閉鎖され、下端近傍の周壁には貯水槽３０の水分を導水部１２１に導くための導水用穴１２４が形成されている。導水用穴１２４は、導水部１２１を水分にできるだけ多く接触させて確実に導水するために、下端近傍からある程度高い位置まで開口すると好適である。支持部材１２２の略上端には外方へ突出する２つの第１突出部１２５が形成され、且つ第１突出部１２５より下方に外方へ突出する第２突出部１２６（フランジ部）が形成されており、第２突出部１２６の下方には人が手に取って支持部材１２２の回転を容易にするための把持部１２７が形成されている。
【００３９】
導水部材１２を植栽コンテナ２０に取り付ける場合には、底面２４の下方で第１突出部１２５を挿通孔２４ｂの突出箇所に位置させ、支持部材１２３の筒状部及び第１突出部１２５をその外形より僅かに大きい挿通孔２４ｂに下方から挿通し、挿通後に把持部１２７を持って回転することにより前記突出箇所と第１突出部１２５との位置をずらす。前記工程により、第１突出部１２５と第２突出部１２６とで間の植栽コンテナ底面２４が挟持され、導水部材１２は水平方向に加えて上下方向への移動を規制されて固定される。前記取り付けられた導水部材１２の下端は、貯水槽３０が取り付けられた状態で、貯水槽３０の底面３４に当接或いは底面３４の近傍に配置される。
【００４０】
尚、導水部材１２は、植栽コンテナ２０のできるだけ前面壁２１側に設けると、緑化ユニット１０を後述する支持部に傾けて配設した場合でも、より多くの水分を導水可能となるため好適である。また、導水部１２１は、毛細管現象を生じて導水可能なものであれば適宜であり、例えばガラス繊維束、多孔質セラミックス、熱接着繊維、とうもろこし系繊維、アクリル繊維等や、これらを固化してなる導水棒等としてもよく、又、硬質材の導水部１２１と軟質材の導水部１２１が含まれる。
【００４１】
また、前述及び図１１、図１２に示すように、植栽コンテナ２０と貯水槽３０との取り付けは、植栽コンテナ２０の後面脚部２２ａの係止孔２２ｂに、貯水槽３０の後面壁３２に形成された係止片３２ａを挿通して係止することにより行われ、植栽コンテナ２０と貯水槽３０は後面壁２２、３２側で取り付けられる。取り付けられた植栽コンテナ２０と貯水槽３０の前面壁２１、３１側では、係止片３２ａと係止孔２２ｂによる係止部を中心にして貯水槽３０が回動可能で開放するようになっている。即ち、図１２に示すように、前面壁３１側で貯水槽３０が開放可能なフリーな状態であり、後述する給水管を配設する際に、前面壁２１、３１側から給水管の配設作業が行えるようになっている。また、貯水槽３０を閉じる場合には、開放状態の貯水槽３０を係止部を中心に閉じる方向へ回動し、植栽コンテナ２０の前面壁２１と貯水槽３０の前面壁３１とをビス等で固定し、貯水槽３０を閉じた状態で植栽コンテナ２０と貯水槽３０とを確実に取り付けることが可能であり、前面壁２１、３１側からの作業のみで給水管６０の配設等の全ての作業を行うことができる。
【００４２】
尚、植栽コンテナ２０と貯水槽３０の回動構造は、前記構成以外にも適宜である。例えば図１３に示すように、貯水槽３０の後面壁３２が植栽コンテナ２０の回動の妨げにならない短めの後面脚部２２ａの内方に位置し、後面壁３２の係止片３２ａを内方から外方へ係止する構成等とすることが可能であり、必ずしも貯水槽３０の後面壁３２を植栽コンテナ２０の後面脚部２２ａの外方に配置する必要はない。また、図１４に示すように、植栽コンテナ２０の後面脚部２２ａを形成せずに、植栽コンテナ２０の後面壁２２と貯水部３０の後面壁３２を蝶番１３を介して固定する構成としてもよい。
【００４３】
更に、緑化ユニット１０には、図１０に示すように、例えば平地等で植栽コンテナ２０内に育成材１４が充填され、育成材１４に植物１５が植栽され、植栽ユニットとされる。育成材１４は植物１５を栽培可能なものであれば適宜であり、例えばパーライト、バーミキュウライト、ピートモス、バーク堆肥、チャフコン、木質腐朽有機物、ゼオライト、下水或いは浄水場から発生する汚泥、或いは汚泥の焼却灰等を用いることができる。また、これらの内の数種類を選定し、更には根腐れ防止用の硅酸塩白土等を植物の種類、環境等に応じて適宜選定し、これらを保水性、排水性を良好にするためにバランス良く配合したもの、或いは単体又は配合して固化しブロック状にした軽量育成材や、スポンジやヤシガラ等の繊維材等の軽量育成材などを用いることができる。前記通気性良好な軽量育成材を育成材１４として用いることにより、植物１５の根が傷むことを防止でき、又、これらの軽量育成材による荷重は従来の客土の約１／３程度であることから、敷設面や後述する支持部材、或いは植栽コンテナ２０へ負荷される荷重を軽減することができる。また、植物１５の種類も適宜である。
【００４４】
次に、上記緑化ユニット１０を取り付けて構成される緑化構造体５０、及び緑化構造体５０を複数横方向に整列配置して構成する緑化設備１００について説明する。
【００４５】
本実施形態の緑化構造体５０は、図１５に示す支持器具４０に緑化ユニット１０が取り付けられて構成される。
【００４６】
支持器具４０は、断面略コ字形のチャネル部材で垂直方向に立設する一対の支持柱４１と、それぞれの支持柱４１の下端で前後に突出して設けられる断面略コ字形のチャネル部材の支持脚４２と、支持柱４１と支持脚４２間に斜めに設けられた補強部４３と、水平に架設されて両支持柱４１・４１相互に連結する断面略Ｌ字形の連結部材４４と、支持柱４１の前面に設けられ、緑化ユニット１０の取付部２７を支持する支持部４５とを備える。
【００４７】
支持脚４２は、支持部４５に緑化ユニット１０が設置された際に重心が前方へ偏ることから、前方へ傾いて倒れることを防止すべく、支持柱４１からの前方への突出長さが長くなっており、更に、補強部４３で支持柱４１の前方への傾きを確実に防止している。また、連結部材４４の支持柱４１・４１間の架橋で、支持柱４１が斜めに変形することを防止している。更に、連結部材４４は、支持柱４１と固定される基面４４１と、基面４４１の一方端縁が両側部から所定寸法内側部分で略直角に屈曲延設された屈曲片４４２を有し、屈曲片４４２は支持柱４１を内方側面から支持し、支持器具４０の斜めの変形防止を一層確実にしている。
【００４８】
支持部４５は、支持柱４１にネジ止め等で固定される基面４５１と、基面４５１の一方側端縁を前方へ屈曲延設された保持片４５２と、保持片４５２の前方端縁を略直角に外方へ屈曲延設された支持片４５３とを有し、縦断面略コ字形に形成されている。保持片４５２は台形状で上辺は下辺より長く、前記台形形状で取り付けられる緑化ユニット１０が前方へ傾斜して配設されるようになっており、また、支持片４５３の上端で且つ保持片４５２側とは逆側の外側の角は面取りされている。支持部４５の支持片４５３は、植栽コンテナ後面壁２２の取付部２７の間隔板２７ｂで形成された被覆板２７ｃと基板２７ａとの間の隙間に配置され、保持片４５２と支持片４５３により、被覆板２７ｃや間隔板２７ｂを支持する或いはこれらで構成される取付部２７を支持する。尚、前記隙間に支持片４５３を配設する場合には、例えば、被覆板２７ｃと基板２７ａとの隙間が支持片４５３をスライドするように取り付ける、或いは取付部２７の一対の被覆板２７ｃの内、片側を取り外し、支持片４５３を両側の隙間にそれぞれ配置した後、前記取り外した被覆板２７ｃをネジ止めする等により固定して取り付ける。
【００４９】
上記支持器具４０を用いることにより、垂直壁等の壁面がある場所以外にも、高さ方向へ緑化を図ることが可能になる。
【００５０】
そして、図１６に示すように、上記緑化構造体５０を複数横方向に整列配置して緑化設備１００を構成する。緑化設備１００を構成する場合には、例えば支持器具４０を並設し、各支持器具４０の支持部４５に緑化ユニット１０を配設し、給水管６０を全ての緑化ユニット１０に行き渡るように配設することにより完成する。図１６に示す給水管６０は、水源に接続されると共に、右の最下段の緑化ユニット１０から左の最下段の緑化ユニット１０へ横方向へ一連に挿通され、その後に上方へ左の中央段の緑化ユニット１０へ導かれ、左の中央段の緑化ユニット１０から右の中央段の緑化ユニット１０へ横方向へ一連に挿通され、その後に上方へ右の最上段の緑化ユニット１０へ導かれ、右の最上段の緑化ユニット１０から左の最上段の緑化ユニット１０へ横方向へ一連に挿通され、全体的に蛇行して配設されている。
【００５１】
尚、給水管６０は、多孔質管、浸出管、ドリップチューブなど適宜であり、また、植栽コンテナ２０と貯水槽３０の間を通る箇所のみ水分を放出可能な前記多孔質、浸出、ドリップ等を有する管でも良い。また、給水管６０を配設する構成としては、前記構成とは逆に、例えば水源に近い給水管６０を上段の緑化ユニット１０から横方向に配設し、徐々に下段の緑化ユニット１０に配設する構成とすると良好である。即ち、水源から近い給水管６０の部分では水圧が強く、且つ、下方に位置する給水管６０の部分では水圧が強いため、水源から遠い給水管６０の部分を下方に配置することで、均等な水圧での給水が可能となる。また、緑化設備１００ではなく緑化構造体５０に給水管６０を設置する構成としてもよい。
【００５２】
給水管６０の配設は、例えば緑化ユニット１０の回動可能な貯水槽３０を前方で開放し、開放状態のときに植栽コンテナ２０と貯水槽３０間に給水管６０を入れ、凹部２３ｂと３３ａで構成される給水管配設用の穴部１１或いは凹部２３ｂ内に給水管６０を略配置し、貯水槽３０を回動して閉じつつ穴部１１に給水管６０を位置決めして配置し、その後に植栽コンテナ２０と貯水槽３０を脚部２１ａと前面壁３１等でビス止めして固定することにより行う。前記給水管６０の配設作業は、後方等の手が届かない箇所での作業等がなく、高い施工性を有する。
【００５３】
上記緑化構造体５０及び緑化設備１００を施工する際には、先ず、植栽コンテナ２０の底面２４に導水部材１２を取り付ける工程を行い、その後、貯水槽３０を植栽コンテナ２０に取り付けて緑化ユニット１０を構成する工程を行い、その後に、路面等の水平面で緑化ユニット１０内に育成材１４を充填する工程、植物１５を植栽する工程を行う。その後に、支持器具４０に緑化ユニット１０を取り付けて緑化構造体５０を構成する工程、貯水槽３０と植栽コンテナ２０の前面のビスを取り外す工程、給水管配設用の穴部１１に給水管６０を配設する工程を順次行い、最後に前記取り外したビスを取り付ける工程を行うことにより、緑化設備１００が完成する。
【００５４】
尚、植栽を施す工程は、必ずしも植物１５を植える場合に限定されず、例えば種を蒔く工程或いは種を蒔いて育成する工程等でもよい。また、導水部材１２を取り付ける工程は、適宜の工程に前後して行ってもよい。更に、貯水槽３０と植栽コンテナ２０の前面での取付は、必ずしも水平面で行う必要はなく、例えば貯水槽３０が外れた状態で支持部４５に取付部２７を取り付け、給水管６０を配設した後に貯水槽３０を取り付ける工程としてよい。更に、空の緑化ユニット１０を支持器具４０に取り付け、その後に育成材１４及び植物１５を植栽し、給水管６０を配設する工程等としてもよい。
【００５５】
更に、給水管６０を貯水槽３０と植栽コンテナ２０間に配設する際に、各緑化ユニット１０の貯水槽３０の全てを開放して一度に給水管６０を全ての緑化ユニット１０内に連通して配置し、貯水槽３０を閉じる構成、或いは一つの緑化ユニット１０の貯水槽３０を開放して給水管６０を配置し、前記貯水槽３０を閉じた後に、次順位の緑化ユニット１０について同様の工程を行う構成、或いは一若しくは複数の緑化ユニット１０の貯水槽３０を必要に応じて開放して給水管６０を配置し、これらの貯水槽３０を全て或いは一部閉じつつ、次順位の一若しくは複数の緑化ユニット１０の貯水槽３０を開放して給水管６０を配置していく構成等とすることも可能である。
【００５６】
以上、実施形態の植栽コンテナ２０と貯水槽３０で構成される緑化ユニット１０、緑化ユニット１０を支持器具４０に取り付けて支持する緑化構造体５０、緑化構造体５０を横方向に複数並べて配置し、給水管６０を配設する緑化設備１０について説明したが、本発明は上記実施形態に限定されるものではなく、様々な拡張や変形が可能である。
【００５７】
例えば植栽コンテナ２０、貯水槽３０、取付部２７、支持部４５の構造や形状は適宜であり、また、自立式の支持器具４０を用いて垂直面を緑化する上記実施形態に用いるものに限定されず、例えば背後に垂直壁や金網等を有する場合には、例えば支持部４５をネジ止めで垂直壁に固定する、或いは金網に引っ掛ける取付具等で金網に固定し、その支持部４５に緑化ユニット１０を取り付ける構成等により、壁面等の垂直面或いは高さ方向へ緑化ユニット１０を設けて緑化を図ることが可能である。前記構成では、支持部４５に加え、ワイヤー等により緑化ユニット１０を垂直壁や金網に固定すると、台風などによる転倒を防止することができて好適である。
【００５８】
また、緑化構造体５０或いは緑化設備１００は、各段の緑化ユニット１０を高さ方向へ真っ直ぐに支持器具４０に取り付ける例（図１７参照）に限定されず、例えば図１８に示すように、ずれた位置に複数ある間隔板２７ｂ及び被覆板２７ｃの適宜の箇所に支持片４５３を配置し、上下の緑化ユニット１０を左右に千鳥状にずらして取り付ける構成、或いは図１９に示すように、上下の緑化ユニット１０を斜め方向に順次ズレして取り付ける構成等とすることが可能である。尚、ずらす寸法は、例えば緑化ユニット１０に植えられる樹木など大きな植物１５の本数や位置等で決定するが、緑化ユニット１０の植物１５が、上段の緑化ユニット１０の隣接箇所及び上段の緑化ユニット１０の植物１５の相互間に位置するようにすると、緑化ユニット１０の植物１５で上段の緑化ユニット１０の隣接箇所及び上段の緑化ユニット１０の間の空間を隠すことが可能となり、緑化設備１００の美観を向上することができて好適である。
【００５９】
また、緑化構造体５０或いは緑化設備１００には、緑化ユニット１０に植えられた植物１５の転倒を防止する支持棒、ワイヤー等の転倒防止部材をその緑化ユニット１０や上段の緑化ユニット１０に設けると、風雨による植物１５の飛散や転倒を未然に防止することができ、長期に亘って優れた美観を維持することができて好適である。例えば図２０に示すように、緑化ユニット１０の植栽コンテナ２０の両側の側壁２３・２３に支持棒７１・７１を取り付け、支持棒７１・７１の上端等の間に植物１５内を通してワイヤー７２を張設し、ワイヤー７２で植物１５を支持する構成、或いは前記構成に加え、ワイヤー７２に植物１５の幹や茎等をワイヤー７３で縛って固定し支持する構成、或いは上段の緑化ユニット１０で前面壁２１若しくは３１に外方へ弧状に突出するワイヤー７４の挿通部を設け、前記挿通部にワイヤー７４を挿通して取り付け、そのワイヤー７４を下段の緑化ユニット１０の植物１５の茎や幹等に巻回する若しくは縛る等で支持する構成等とすることが可能である。
【００６０】
また、緑化構造体５０或いは緑化設備１００では、最下段以外の緑化ユニット１０が一つ下段の緑化ユニット１０に植えられている植物１５によって前面壁２１、３１が隠れるため、優れた美観を得られるが、最下段の緑化ユニット１０の前面壁２１、３１は目視可能となり、若干美観が損なわれる。そのため、例えば図２０に示すように、最下段の緑化ユニット１０に前方に垂下するように垂下型の植物７５を植えると好適であり、前記構成により、全ての緑化ユニット１０の前面壁２１、３１を概略隠し、全体に亘って緑化を図り、美観をより一層向上することができる。更に、垂下型の植物７５を植える場合に、植物７５を支えるための支持棒やワイヤー等の支え部材を設けると好適であり、例えば図２０に示すように、緑化ユニット１０の両側の側壁２３に支持棒７６を設け、支持棒７６・７６の上端等の間にワイヤー７７を張設し、植物７５をワイヤー７７に絡ませて設ける或いはワイヤー７７を越えて垂下するように設ける構成等とすると、構造を簡易化することができる。
【００６１】
また、図２１に示すように、緑化設備１００の前面等に水平面の緑化を行い、水平面の緑化エリア８０に、少なくとも緑化設備１００の前面近傍位置へ登攀性の植物８１を植栽し、緑化構造体５０或いは緑化設備１００の最下段の緑化ユニット１０の前面壁２１、３１を登攀性の植物８１に登攀させ、最下段の緑化ユニット１０を隠す構成としてもよい。また、水平面の緑化エリア８０を最下段の緑化ユニット１０の前面壁２１、３１を隠す高さに設ける、或いは最下段の緑化ユニット１０の前面壁２１、３１が隠れるように、水平面の緑化エリア８０に緑化構造体５０或いは緑化設備１００を設ける構成としてもよく、前記構成では特に登攀性の植物８１等を植栽せずとも、最下段の緑化ユニット１０を概略隠すことが可能になる。尚、緑化エリア８０内に給水管が敷設される構成等の水平面の緑化エリア８０を設ける場合に、緑化構造体５０或いは緑化設備１００に設けられる給水管６０をそのまま水平面の緑化エリア８０にも一連で設けると、緑化設備１００や緑化エリア８０等の全体の給水を一系統で行うことが可能になって好適である。また、水平面と高さ方向或いは垂直面の緑化を合わせて行うと、総合的に優れた美観を得ることができて好適である。
【００６２】
また、緑化構造体５０或いは緑化設備１００では、図２２の一点鎖線で示すように、緑化ユニット１０の後面壁２２、３２とその一つ上段の緑化ユニット１０の前面壁２１、３１とが側面視で一直線上に配置されるように構成すると好適であり、前記構成により、水平面で植栽して上方に延びた植物１５を有する緑化ユニット１０をそのまま支持部４５に配設した場合に、植物１５を上段の緑化ユニット１０の前面壁２１、３１に略沿う等の状態で斜めに配設することができ、下段の緑化ユニット１０の植物１５がその一つ上段の緑化ユニット１０の配設の邪魔になることを防止することができると共に、美観を向上することができる。
【００６３】
また、緑化ユニット１０の植栽コンテナ２０の開放面を、その一つ上段の緑化ユニット１０の排水路或いは排水箇所に対応する下方位置に設け、上段の緑化ユニット１０からの余剰水を順次下段の緑化ユニット１０に供給すると好適である。即ち、垂直方向など高さ方向に設置する緑化構造体５０或いは緑化設備１００は、最上段の緑化ユニット１０を除くと降雨など自然による給水を直接受けることができないが、最上段の緑化ユニット１０からの余剰水を順次下段の緑化ユニット１０へ導くことにより、降雨など自然による給水を確実に下段の緑化ユニット１０や植物１５に供給することが可能となると共に、水道費を節約することもできる。図２２に示す緑化構造体５０では、上段の緑化ユニット１０の前面壁３１と貯水槽底面３４の角が前記排水箇所に対応し、前記角から自然に水分が落下し、前記落下箇所の下方に位置する下段の緑化ユニット１０の植栽コンテナ２０の開放面に水分が供給される。
【００６４】
更に、前記構成では、例えば緑化ユニット１０の前面壁３１と底面３４が突合する角から下方へ水分を伝わせる紐体などの水分供給路を構成する部材を予め設けると、水分供給を確実に行うことが可能になって好適である。更に、貯水槽３０の前面壁３１に上端から下端へ連なる凹部を形成し、貯水槽３０の前面壁３１の外面と植栽コンテナ２０の脚部２１ａとの間に予め排水路となる空間を形成する構成、或いは植栽コンテナ２０の脚部２１ａに突起状或いは高さ方向へ延びる突条等の外向き凸部を設け、植栽コンテナ２０の脚部２１ａの内面と貯水槽３０の前面壁３１との外面との間に予め排水路となる空間を形成する構成としても良好であり、前記構成により、決まった箇所からの確実は排水が可能となり、又、美しい景観を維持しつつ排水を行うことができる。
【００６５】
また、上記緑化構造体５０や支持器具４０は、緑化ユニット１０を３段設置する３段式とする場合について説明したが、４段式以上、或いは２段式にするなど適宜であり、例えば植物１５の種類や施工場所等に応じて選定すればよい。また、一つの緑化ユニット１０に植える植物１５は、例えば樹木等の場合に４本以外に、３本以下、５本以上など適宜に植えることが可能であり、植物１５の種類等に応じて適宜選定すればよい。
【００６６】
また、緑化ユニット１０の植栽コンテナ２０に関し、植栽コンテナ２０の開放面に補強部材２８を設けると、育成材１４の重みによる植栽コンテナ２０の変形を未然に防止することができて好適である。補強部材２８は、例えば図２３に示すように、細長板状で両端か下方へ屈曲する略コ字形の部材で、前面壁２１と後面壁３１間の長さと略対応する長さのものとし、補強片２５に形成した挿通孔２５ａに補強部材２８の両端の屈曲片２８ａをそれぞれ挿通して、前面壁２１の補強片２５と後面壁３１の補強片２５間に架橋する構成等とする。前記構成は簡単な構造で且つ安価に達成することができる。更に、補強部材２８を細長平板等の平板状の部材とし、植栽コンテナ２０の補強片２５にビス止めする構成等とすることができる。また、補強部材２８の数も、例えば植える植物１５の数などに応じて適宜必要数設けることが可能である。
【００６７】
また、緑化設備１００の横端縁に、給水管６０を隠すための隠し部材を設けると、より美観に優れた緑化設備１００とすることができて好適である。前記隠し部材は例えば断面コ字形のチャネル部材であるカバーとし、上段と下段の緑化ユニット１０間に配設された給水管６０を側面から覆うようにビス止め等で緑化ユニット１０の側壁２３に取り付ける、或いは支持器具４０の支持柱４１等に取り付ける構成等とすることができる。更に、例えば隠し部材としてカバーを設ける場合等には、そのカバーの外面に登攀性の植物８１を這わせる構成等とするとより好適である。
【００６８】
また、緑化ユニット１０、緑化構造体５０又は緑化設備１００で植栽される植物１５は適宜の植物とすることが可能であるが、常緑の低木など常緑で余り背の伸びない植物とすると好適であり、例えば、アベリア、イヌツゲ、カンツバキ、サツキツツジ、ヒラドツツジ、シャリンバイ、ハマヒサカキ、ビョウヤナギ、マサキ、トベラ、ナワシログミ、コノテヒバ、グリーンコーン、ニオイヒバ、ニッコウヒバ、ピラカンサ、ベニカナメモチ等とすることが可能である。
【産業上の利用可能性】
【００６９】
本発明は、例えば建築物の壁面に沿った緑化を図る場合、店舗等の緑化ディスプレイを設ける場合等に利用することができる。
【図面の簡単な説明】
【００７０】
【図１】（ａ）は本発明の実施形態の植栽コンテナを示す正面図、（ｂ）は同図（ａ）の植栽コンテナの平面図、（ｃ）は同図（ａ）の植栽コンテナの背面図、（ｄ）は同図（ａ）のＡ−Ａ矢視断面図、（ｅ）は同図（ｂ）のＢ−Ｂ矢視断面図、（ｆ）は同図（ａ）の植栽コンテナの右側面図、（ｇ）は同図（ａ）のＣ−Ｃ矢視断面図。
【図２】（ａ）は実施形態の植栽コンテナを前方から見た斜視図、（ｂ）は同図（ａ）の植栽コンテナを後方から見た斜視図。
【図３】（ａ）は本発明の実施形態の貯水部を示す正面図、（ｂ）は同図（ａ）の貯水部の平面図、（ｃ）は同図（ａ）の貯水部の底面図、（ｄ）は同図（ａ）の貯水部の背面図、（ｅ）は同図（ａ）の貯水部の右側面図、（ｆ）は同図（ａ）の貯水部のＡ−Ａ矢視断面図。
【図４】（ａ）は実施形態の貯水部を前方から見た斜視図、（ｂ）は同図（ａ）の貯水部を後方から見た斜視図。
【図５】（ａ）は本発明の実施形態の緑化ユニットを示す正面図、（ｂ）は同図（ａ）の緑化ユニットの平面図、（ｃ）は同図（ａ）の緑化ユニットの背面図、（ｄ）は同図（ｂ）のＡ−Ａ矢視断面図、（ｅ）は同図（ａ）の緑化ユニットの右側面図、（ｆ）は同図（ａ）のＢ−Ｂ矢視断面図。
【図６】（ａ）は実施形態の緑化ユニットを前方から見た斜視図、（ｂ）は同図（ａ）の緑化ユニットを後方から見た斜視図。
【図７】実施形態の植栽コンテナの取付部分を説明する斜視説明図。
【図８】（ａ）は実施形態に於ける導水部材の正面図、（ｂ）は同図（ａ）の導水部材の側面図、（ｃ）は同図（ａ）のＡ−Ａ矢視断面図、（ｄ）は同図（ａ）のＢ−Ｂ矢視断面図、（ｅ）は同図（ａ）のＣ−Ｃ矢視断面図、（ｆ）は同図（ａ）のＤ−Ｄ矢視断面図。
【図９】図５（ｄ）と同視で、緑化ユニットに導水部材を取り付けた状態を示す断面図。
【図１０】緑化ユニットに植栽する工程を説明する説明図。
【図１１】（ａ）は貯水部の回動動作に関し、閉鎖状態の緑化ユニットを後方から見た斜視図、（ｂ）は同図（ａ）のＡ−Ａ矢視断面図、（ｃ）は同図（ｂ）の回動部分の拡大断面図。
【図１２】（ａ）は貯水部の回動動作に関し、開放状態の緑化ユニットを後方から見た斜視図、（ｂ）は同図（ａ）のＡ−Ａ矢視断面図、（ｃ）は同図（ｂ）の回動部分の拡大断面図。
【図１３】（ａ）は第１変形例の回動部分の閉鎖状態を示す拡大断面図、（ｂ）は同図（ａ）の回動部分の開放状態を示す拡大断面図。
【図１４】（ａ）は第２変形例の回動部分の閉鎖状態を示す拡大断面図、（ｂ）は同図（ａ）の回動部分の開放状態を示す拡大断面図。
【図１５】（ａ）は緑化ユニットを支持体に配設する前の状態を示す斜視図、（ｂ）は緑化ユニットを支持体に配設した後の状態を示す斜視図。
【図１６】実施形態の緑化設備を示す斜視図。
【図１７】実施形態の緑化設備を示す正面図。
【図１８】緑化ユニットを千鳥配置した緑化設備の例を示す正面図。
【図１９】緑化ユニットをずらし配置した緑化設備の例を示す正面図。
【図２０】様々な植物支持部材を有する緑化体を示す斜視図。
【図２１】緑化設備を水平面の緑化と合わせた例を示す斜視説明図。
【図２２】緑化体の側面説明図。
【図２３】（ａ）は補強部材を有する植栽コンテナで補強部材を取り付ける前の状態を示す斜視図、（ｂ）は同図（ａ）の植栽コンテナで補強部材を取り付けた後の状態を示す斜視図。
【符号の説明】
【００７１】
１０  緑化ユニット
１１  穴部
１２  導水部材
１４  育成材
１５  植物
２０  植栽コンテナ
３０  貯水槽
２１、３１  前面壁
２１ａ、２２ａ、２３ａ  脚部
２２、３２  後面壁
２２ｂ  係止孔
２３、３３  側壁
２３ｂ  凹部
２４、３４  底面
２７  取付部
３２ａ  係止片
３３ａ  凹部
４０  支持器具
４５  支持部
５０  緑化構造体
６０  給水管
１００  緑化設備
【図１】
2006191805.tif 000003
【図２】
2006191805.tif 000004
【図３】
2006191805.tif 000005
【図４】
2006191805.tif 000006
【図５】
2006191805.tif 000007
【図６】
2006191805.tif 000008
【図７】
2006191805.tif 000009
【図８】
2006191805.tif 000010
【図９】
2006191805.tif 000011
【図１０】
2006191805.tif 000012
【図１１】
2006191805.tif 000013
【図１２】
2006191805.tif 000014
【図１３】
2006191805.tif 000015
【図１４】
2006191805.tif 000016
【図１５】
2006191805.tif 000017
【図１６】
2006191805.tif 000018
【図１７】
2006191805.tif 000019
【図１８】
2006191805.tif 000020
【図１９】
2006191805.tif 000021
【図２０】
2006191805.tif 000022
【図２１】
2006191805.tif 000023
【図２２】
2006191805.tif 000024
【図２３】
2006191805.tif 000025